(57)【要約】      （修正有）【課題】色差が校正され、光学長さを短縮できる四枚型の撮像レンズを提供する。【解決手段】物体側から像側へ順次に、第１のレンズＬ１、第２のレンズＬ２、第３のレンズＬ３、及び第４のレンズＬ４が配置され、且つ、０．５＜ｆ１／ｆ＜１．１、−２＜ｆ２／ｆ＜−０．５、０．６５＜ｆ３／ｆ＜１．１、−２．５＜ｆ４／ｆ＜−１．８の条件式を満足する。ここで、ｆは撮像レンズ全体の焦点距離、ｆ１、ｆ２、ｆ３、ｆ４はそれぞれ第１のレンズＬ１、第２のレンズＬ２、第３のレンズＬ３、及び第４のレンズＬ４の焦点距離である。【選択図】図１
2018013754.tif 000002
【特許請求の範囲】
【請求項１】
物体側から像側へ順次に、正の屈折率を有する第１のレンズ、負の屈折率を有する第２のレンズ、正の屈折率を有する第３のレンズ、及び負の屈折率を有する第４のレンズが配置され、且つ以下の条件式（１）〜（４）を満足することを特徴とする撮像レンズ。
０．５＜ｆ１／ｆ＜１．１              （１）
−２＜ｆ２／ｆ＜−０．５              （２）
０．６５＜ｆ３／ｆ＜１．１            （３）
−２．５＜ｆ４／ｆ＜−１．８          （４）
但し、
ｆ：前記撮像レンズ全体の焦点距離
ｆ１：第１のレンズの焦点距離
ｆ２：第２のレンズの焦点距離
ｆ３：第３のレンズの焦点距離
ｆ４：第４のレンズの焦点距離
である。
【請求項２】
前記撮像レンズはさらに以下の条件式（１ａ）〜（４ａ）を満足することを特徴とする請求項１に記載の撮像レンズ。
１．５ｍｍ＜ｆ１＜３．０ｍｍ          （１ａ）
−５ｍｍ＜ｆ２＜−１．９ｍｍ          （２ａ）
１ｍｍ＜ｆ３＜２ｍｍ                  （３ａ）
−１２ｍｍ＜ｆ４＜−２ｍｍ            （４ａ）。
【請求項３】
前記撮像レンズはさらに以下の条件式（１ｂ）〜（４ｂ）を満足することを特徴とする請求項１に記載の撮像レンズ。
１．５０＜ｎ１＜１．５５              （１ｂ）
１．６０＜ｎ２＜１．７０              （２ｂ）
１．５０＜ｎ３＜１．５５              （３ｂ）
１．５０＜ｎ４＜１．５５              （４ｂ）
但し、
ｎ１：第１のレンズの屈折率
ｎ２：第２のレンズの屈折率
ｎ３：第３のレンズの屈折率
ｎ４：第４のレンズの屈折率
である。
【請求項４】
前記撮像レンズはさらに以下の条件式（１ｃ）〜（４ｃ）を満足することを特徴とする請求項１に記載の撮像レンズ。
４０＜ｖ１＜６０                      （１ｃ）
１５＜ｖ２＜３０                      （２ｃ）
４０＜ｖ３＜６０                      （３ｃ）
４０＜ｖ４＜６０                      （４ｃ）
但し、
ｖ１：第１のレンズのアッベ数
ｖ２：第２のレンズのアッベ数
ｖ３：第３のレンズのアッベ数
ｖ４：第４のレンズのアッベ数
である。
【請求項５】
前記第１のレンズは、正の屈折力のレンズであり、前記撮像レンズの主な屈折力を負担し、光学長さを減少させることに有利であり、前記第１のレンズの焦点距離は条件式１．５ｍｍ＜ｆ１＜３．０ｍｍを満足することを特徴とする請求項１に記載の撮像レンズ。
【請求項６】
前記第２のレンズは、高屈折率、低アッベ数の材料が用いられ、色差を合理的に校正することができ、第２のレンズは条件式１．６０＜ｎ２＜１．７０、１５＜ｖ２＜３０を満足することを特徴とする請求項１に記載の撮像レンズ。
但し、
ｎ２：第２のレンズの屈折率
ｖ２：第２のレンズのアッベ数
である。
【請求項７】
前記第２のレンズと前記第３のレンズは、接着方式により接続され、光学長さの減少及びゴースト像の抑制に有利であることを特徴とする請求項１に記載の撮像レンズ。
【請求項８】
前記撮像レンズのＦ値ＦＮｏは条件式ＦＮｏ＜２．５を満足することを特徴とする請求項１に記載の撮像レンズ。
但し、ＦＮｏは前記撮像レンズ全体の焦点距離と入射瞳径との比である。
【請求項９】
前記撮像レンズは前記第１のレンズと前記第２のレンズとの間に設けられた絞りをさらに備えることを特徴とする請求項１に記載の撮像レンズ。
【発明の詳細な説明】
【技術分野】
【０００１】
本発明は撮像レンズに関し、特に携帯型電子デバイスに用いられる撮像レンズに関する。
【背景技術】
【０００２】
近年、小型の撮像レンズの顕著な発展に伴い、マイクロ型の撮像モジュールに対する要求がますます高まっているが、一般的に撮像レンズの受光素子としては、感光結合素子又は相補性金属酸化導体素子との２種類しかないが、半導体製造プロセスの発展に伴い、受光素子の画素のサイズはさらに小さくなり、それに加え、現在の電子製品は、機能が優れ、且つ軽薄短小化が発展する傾向であるため、良好な結像品質を有する小型化の撮像レンズは市場の主流になっている。
【０００３】
従来の四枚型の撮像レンズは、物体側から像側へ順次に正の屈折力を有する第１のレンズ、負の屈折力を有する第２のレンズ、正の屈折力を有する第３のレンズ、及び負の屈折力を有する第４のレンズを備える。従来の四枚型の撮像レンズが備える、前記第１のレンズ、前記第２のレンズ、前記第３のレンズ、及び前記第４のレンズは屈折率の配分及び形状が不十分であるため、感度が高くなく、さらに色差などを校正することができなく、これによって、光学特性が普通のものになってしまう。また、従来の四枚型の撮像レンズは、構造嵌合方式で組立てられる場合が多く、光学長さを短縮する点においては、一定の難しさが存在する。
【０００４】
従って、上述した欠陥を克服するために、改良された四枚型の撮像レンズを提供する必要がある。
【発明の概要】
【発明が解決しようとする課題】
【０００５】
上述した技術的課題を解決するために、本発明により、新型の撮像レンズが提供され、面型を合理的に最適化し、屈折力を合理的に配分し、光学材料を合理的に選択することにより、小型の四枚型のレンズモジュールの撮像レンズの設計を実現し、当該撮像レンズは、携帯式電子デバイスに適用することができ、且つ結像が鮮明であり、光学特性が良い。
【課題を解決するための手段】
【０００６】
本発明に係る撮像レンズは、物体側から像側へ順次に、正の屈折率を有する第１のレンズ、負の屈折率を有する第２のレンズ、正の屈折率を有する第３のレンズ、及び負の屈折率を有する第４のレンズが配置され、且つ以下の条件式（１）〜（４）を満足する。
０．５＜ｆ１／ｆ＜１．１              （１）
−２＜ｆ２／ｆ＜−０．５              （２）
０．６５＜ｆ３／ｆ＜１．１            （３）
−２．５＜ｆ４／ｆ＜−１．８          （４）
但し、
ｆ：前記撮像レンズ全体の焦点距離
ｆ１：第１のレンズの焦点距離
ｆ２：第２のレンズの焦点距離
ｆ３：第３のレンズの焦点距離
ｆ４：第４のレンズの焦点距離
である。
【０００７】
本発明に係る撮像レンズの一つの好ましい実施例において、前記撮像レンズはさらに以下の条件式（１ａ）〜（４ａ）を満足する。
１．５ｍｍ＜ｆ１＜３．０ｍｍ          （１ａ）
−５ｍｍ＜ｆ２＜−１．９ｍｍ          （２ａ）
１ｍｍ＜ｆ３＜２ｍｍ                  （３ａ）
−１２ｍｍ＜ｆ４＜−２ｍｍ            （４ａ）
である。
【０００８】
本発明に係る撮像レンズの一つの好ましい実施例において、前記撮像レンズはさらに以下の条件式（１ｂ）〜（４ｂ）を満足する。
１．５０＜ｎ１＜１．５５              （１ｂ）
１．６０＜ｎ２＜１．７０              （２ｂ）
１．５０＜ｎ３＜１．５５              （３ｂ）
１．５０＜ｎ４＜１．５５              （４ｂ）
但し、
ｎ１：第１のレンズの屈折率
ｎ２：第２のレンズの屈折率
ｎ３：第３のレンズの屈折率
ｎ４：第４のレンズの屈折率
である。
【０００９】
本発明に係る撮像レンズの一つの好ましい実施例において、前記撮像レンズはさらに以下の条件式（１ｃ）〜（４ｃ）を満足する。
４０＜ｖ１＜６０                      （１ｃ）
１５＜ｖ２＜３０                      （２ｃ）
４０＜ｖ３＜６０                      （３ｃ）
４０＜ｖ４＜６０                      （４ｃ）
但し、
ｖ１：第１のレンズのアッベ数
ｖ２：第２のレンズのアッベ数
ｖ３：第３のレンズのアッベ数
ｖ４：第４のレンズのアッベ数
である。
【００１０】
本発明に係る撮像レンズの一つの好ましい実施例において、前記第１のレンズは、前記撮像レンズの主な屈折力を負担しており、光学長さを減少させることに有利であり、前記第１のレンズの焦点距離は条件式１．５ｍｍ＜ｆ１＜３．０ｍｍを満足する。
【００１１】
本発明に係る撮像レンズの一つの好ましい実施例において、前記第２のレンズは、高屈折率、低アッベ数の材料が採用され、色差を合理的に校正することができ、第２のレンズは条件式１．６０＜ｎ２＜１．７０、１５＜ｖ２＜３０を満足する。
但し、
ｎ２：第２のレンズの屈折率
ｖ２：第２のレンズのアッベ数
である。
【００１２】
本発明に係る撮像レンズの一つの好ましい実施例において、前記第２のレンズと前記第３のレンズは、接着方式により接続され、光学長さの減少及びゴースト像の抑制に有利である。
【００１３】
本発明に係る撮像レンズの一つの好ましい実施例において、前記撮像レンズのＦ値ＦＮｏは条件式ＦＮｏ＜２．５を満足する。
但し、
ＦＮｏは前記撮像レンズ全体の焦点距離と入射瞳径との比である。
【００１４】
本発明に係る撮像レンズの一つの好ましい実施例において、前記撮像レンズは前記第１のレンズと前記第２のレンズとの間に設けられた絞りをさらに備える。
【発明の効果】
【００１５】
関連技術に比べ、本発明に係る撮像レンズは以下の有益な効果を有する。本発明は、面型を合理的に最適化し、屈折力を合理的に配分し、光学材料を合理的に選択することにより、小型の電子デバイスに適用できる結像が鮮明な撮像レンズを設計した。前記第１のレンズは、正レンズであり、前記撮像レンズの主な屈折力を負担し、光学長さを効果的に減少することができる。前記第２のレンズは、高屈折率、低アッベ数の材料を採用することにより、前記撮像レンズの色差を効果的に減少することができる。また、前記第２のレンズと第３のレンズとは接着方式により接続されているため、光学長さを減少すると共に、一定の程度までゴースト像を抑制することができ、これにより、前記撮像レンズが高結像性能を得ると共に、低敏感度と高い通光量を有し、且つＦＮｏ＜２．５の高感度という優れた光学特性を有する。
【図面の簡単な説明】
【００１６】
本発明の実施例における技術案をさらに明確に説明するために、以下、実施例の説明に用いられることが必要な図面を簡単に説明する。当然ながら、以下に説明する図面は本発明の一部の実施例に過ぎず、当業者が、創造的労力を要しない前提で、これらの図面に基づき、他の図面を得ることもできる。
【図１】本発明に係る撮像レンズの一つの好ましい実施例の構成を示す模式図である。
【図２】図１に示す撮像レンズの像面湾曲を示す図である。
【図３】図１に示す撮像レンズの歪曲収差を示す図である。
【図４】図１に示す撮像レンズのＭＴＦ曲線図である。
【発明を実施するための形態】
【００１７】
以下、本発明の実施例における図面に合わせて、本発明の実施例における技術案を明確に完全に説明する。当然ながら、説明する実施例は本発明の一部の実施例に過ぎず、すべての実施例ではない。当業者は、本発明における実施例に基づき、創造的労力を要せず得られた全ての他の実施例は、すべて本発明の保護範囲に含まれる。
【００１８】
図１に示すように、図１は本発明に係る撮像レンズの一つの好ましい実施例の構成を示す模式図である。図１において、左側は物体側であり、右側は像側である。前記撮像レンズＬＡは主に同軸に設置された四枚のレンズにより構成され、物体側から像面１９０へ順次に第１のレンズＬ１、第２のレンズＬ２、第３のレンズＬ３、及び第４のレンズＬ４が配置されており、また、前記第２のレンズＬ２と第３のレンズＬ３とは接着方式により接続されている。前記第１のレンズＬ１と前記第２のレンズＬ２との間にはさらに絞りが設けられており、前記第４のレンズＬ４と前記像面１９０との間にはガラス平板ＧＦが配置されている。
【００１９】
本実施例において、上述した４つのレンズはいずれもプラスチックレンズであり、その具体的な構成は以下の通りである。
前記第１のレンズＬ１は正レンズであり、正の屈折力を有し、物体側面１１２は凸面であり、像側面１１４は凹面であり、且つ前記物体側面１１２及び像側面１１４は非球面であり、前記第１のレンズＬ１の物体側面１１２には一つの変曲点が設けられ、前記第１のレンズＬ１の像側面１１４には一つの変曲点と１つの停留点が設けられており、
前記第２のレンズＬ２は負レンズであり、負の屈折力を有し、その物体側面１２２は凹面であり、その像側面１２４は凸面であり、且つ前記物体側面１２２及び像側面１２４は非球面であり、前記第２のレンズＬ２の像側面１２４には一つの変曲点と１つの停留点が設けられており、
前記第３のレンズＬ３は正レンズであり、正の屈折力を有し、その物体側面１３２は凹面であり、その像側面１３４は凸面であり、且つ前記物体側面１３２及び前記像側面１３４は非球面であり、前記第３のレンズＬ３の物体側面１３２には一つの変曲点と一つの停留点が設けられ、その像側面１３４には一つの変曲点が設けられており、
前記第４のレンズＬ４は負レンズであり、負の屈折力を有し、その物体側面１４２は凸面であり、その像側面１４４は凹面であり、且つ前記物体側面１４２及び像側面１４４は非球面であり、前記第４のレンズＬ４の物体側面１４２には三つの変曲点と一つの停留点が設けられ、その像側面１４４には一つの変曲点と一つの停留点が設けられており、
ここで、物体側面が凸面であるとは、物体側面が物体に向けて凸形状に形成されていることを意味し、物体側面が凹面であるとは、物体側面が物体に向けて凹形状に形成されていることを意味し、像側面が凸面であるとは、像側面が像面に向けて凸形状に形成されていることを意味し、像側面が凹面であるとは、像側面が像面に向けて凹形状に形成されていることを意味する。
【００２０】
前記絞り１７０は前記第１のレンズＬ１と第２のレンズＬ２との間に設けられ、光入射量及び被写界深度を制御することに用いられる。前記ガラス平板ＧＦとしては、ガラスカバーシート又はフィルターが用いられてもよく、前記フィルターは光線をフィルタリングする機能を有し、前記フィルターの種類は実際の需要に応じて選択することができる。前記第４のレンズＬ４と前記像面１９０との間にはガラス平板ＧＦが設けられなくてもよい。
【００２１】
本発明に係る撮像レンズにおいて、前記撮像レンズＬＡに対する高い結像鮮明度と小型化の設計要求を満たすために、前記撮像レンズＬＡの第１のレンズＬ１、第２のレンズＬ２、第３のレンズＬ３及び第４のレンズＬ４は以下の条件式を満足する必要があり、
０．５＜ｆ１／ｆ＜１．１              （１）
−２＜ｆ２／ｆ＜−０．５              （２）
０．６５＜ｆ３／ｆ＜１．１            （３）
−２．５＜ｆ４／ｆ＜−１．８          （４）
但し、
ｆ：前記撮像レンズ全体の焦点距離
ｆ１：第１のレンズの焦点距離
ｆ２：第２のレンズの焦点距離
ｆ３：第３のレンズの焦点距離
ｆ４：第４のレンズの焦点距離
である。
【００２２】
条件式（１）−（４）に、前記第１のレンズＬ１、第２のレンズＬ２、第３のレンズＬ３、及び第４のレンズＬ４の焦点距離が規定されている。条件式（１）−（４）の範囲外では、前記撮像レンズＬＡの小型化や結像の鮮明化は困難である。
【００２３】
なお、前記撮像レンズＬＡが短かい光学長さ、低敏感度、高感度、小さい画素色差、低コストなどのメリットを有するように、最も好ましくは、第１のレンズＬ１、第２のレンズＬ２、第３のレンズＬ３、及び第４のレンズＬ４のパラメータを以下の範囲内に設定する。
【００２４】
１．焦点距離
前記撮像レンズＬＡの全体の構成において、前記撮像レンズＬＡの第１のレンズＬ１、第２のレンズＬ２、第３のレンズＬ３、及び第４のレンズＬ４の焦点距離は以下の条件を満足する必要があり、
１．５ｍｍ＜ｆ１＜３．０ｍｍ、−５ｍｍ＜ｆ２＜−１．９ｍｍ、
１ｍｍ＜ｆ３＜２ｍｍ、−１２ｍｍ＜ｆ４＜−２ｍｍ。
【００２５】
２．屈折率
前記撮像レンズＬＡの全体の構成において、前記撮像レンズＬＡの第１のレンズＬ１、第２のレンズＬ２、第３のレンズＬ３、及び第４のレンズＬ４の屈折率は以下の条件を満足する必要があり、
１．５０＜ｎ１＜１．５５、１．６０＜ｎ２＜１．７０、
１．５０＜ｎ３＜１．５５、１．５０＜ｎ４＜１．５５、
但し、
ｎ１：第１のレンズの屈折率
ｎ２：第２のレンズの屈折率
ｎ３：第３のレンズの屈折率
ｎ４：第４のレンズの屈折率
である。
【００２６】
３．アッベ数
前記撮像レンズＬＡの全体の構成において、前記撮像レンズＬＡの第１のレンズＬ１、第２のレンズＬ２、第３のレンズＬ３、及び第４のレンズＬ４のアッベ数は以下の条件を満足する必要があり、
４０＜ｖ１＜６０、１５＜ｖ２＜３０、
４０＜ｖ３＜６０、４０＜ｖ４＜６０、
但し、
ｖ１：第１のレンズのアッベ数
ｖ２：第２のレンズのアッベ数
ｖ３：第３のレンズのアッベ数
ｖ４：第４のレンズのアッベ数
である。
【００２７】
前記第１のレンズＬ１、前記第２のレンズＬ２、前記第３のレンズＬ３、前記第４のレンズＬ４の焦点距離、屈折率及びアッベ数は上記の条件を満たさない場合、前記撮像レンズＬＡの色差特性とテレセントリック特性が劣化する恐れがあり、また、前記撮像レンズＬＡの敏感度を増大させ、前記撮像レンズＬＡの小型化が難しく、且つ、前記撮像レンズＬＡのコストダウンに不利である。
【００２８】
本発明において、前記第１のレンズＬ１は正レンズであり、前記撮像レンズＬＡの主な屈折力を負担し、光学長さを減少することに有利である。前記第２のレンズＬ２は、高屈折率、低アッベ数の材料が用いられ、色差を合理的に校正することができる。また、前記第２のレンズＬ２と第３のレンズＬ３は、接着方式により接続され、光学長さを減少させると共に、一定の程度までゴースト像を抑制することができる。前記撮像レンズＬＡを構成する４つのレンズはいずれも上述した構成を有し、且つ全ての条件式を満足しているため、製造された前記撮像レンズＬＡは優れた光学特性、及びＦＮｏ＜２．５の高感度を有し、ここで、ＦＮｏはＦ値であり、即ち、前記撮像レンズ全体の焦点距離と入射瞳径との比である。
【００２９】
以下、実施例を用いて本発明に係る撮像レンズＬＡを説明する。実施例に記載された符号は以下の通りである。距離、半径及び中心厚の単位は、ｍｍである。
ｆ：前記撮像レンズ全体の焦点距離
ｆ１：第１のレンズの焦点距離
ｆ２：第２のレンズの焦点距離
ｆ３：第３のレンズの焦点距離
ｆ４：第４のレンズの焦点距離
Ｆｎｏ：Ｆ値
２ω：全画角
Ｓ１：絞り
Ｒ：光学面の曲率半径、レンズの場合は中心曲率半径
Ｒ１：第１のレンズＬ１の物体側面の曲率半径
Ｒ２：第１のレンズＬ１の像側面の曲率半径
Ｒ３：第２のレンズＬ２の物体側面の曲率半径
Ｒ４：第２のレンズＬ２の像側面の曲率半径
Ｒ５：第３のレンズＬ３の物体側面の曲率半径
Ｒ６：第３のレンズＬ３の像側面の曲率半径
Ｒ７：第４のレンズＬ４の物体側面の曲率半径
Ｒ８：第４のレンズＬ４の像側面の曲率半径
Ｒ９：ガラス平板ＧＦの物体側面の曲率半径
Ｒ１０：ガラス平板ＧＦの像側面の曲率半径
ｄ：レンズの中心厚さ又はレンズ間の距離
ｄ１：第１のレンズＬ１の中心厚さ
ｄ２：第１のレンズＬ１の像側面から絞りＳ１までの軸上距離
ｄ３：絞りＳ１から第２のレンズＬ２の物体側面までの軸上距離
ｄ４：第２のレンズＬ２の中心厚さ
ｄ５：第２のレンズＬ２の像側面から第２のレンズＬ３の物体側面までの軸上距離
ｄ６：第３のレンズＬ３の中心厚さ
ｄ７：第３のレンズＬ３の像側面から第４のレンズＬ４の物体側面までの軸上距離
ｄ８：第４のレンズＬ４の中心厚さ
ｄ９：第４のレンズＬ４の像側面からガラス平板ＧＦの物体側面までの軸上距離
ｄ１０：ガラス平板ＧＦの中心厚さ
ｄ１１：ガラス平板ＧＦの像側面から結像面までの軸上距離
ｎｄ：ｄ線の屈折率
ｎｄ１：第１のレンズＬ１のｄ線の屈折率
ｎｄ２：第２のレンズＬ２のｄ線の屈折率
ｎｄ３：第３のレンズＬ３のｄ線の屈折率
ｎｄ４：第４のレンズＬ４のｄ線の屈折率
ｎｄ５：ガラス平板ＧＦのｄ線の屈折率
ｖ：アッベ数
ｖ１：第１のレンズＬ１のアッベ数
ｖ２：第２のレンズＬ２のアッベ数
ｖ３：第３のレンズＬ３のアッベ数
ｖ４：第４のレンズＬ４のアッベ数
ｖ５：ガラス平板ＧＦのアッベ数
ＴＴＬ：光学長さ（第１のレンズＬ１の物体側面から結像面までの軸上距離）、
ＬＢ：第４のレンズＬ４の像側面から結像面までの軸上距離（ガラス平板ＧＦの厚さを含む）
ＩＨ：像高
ｙ＝（ｘ２／Ｒ）／［１＋｛１−（ｋ＋１）（ｘ２／Ｒ２）｝１／２］＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６  （５）
但し、Ｒは軸上の曲率半径、ｋは円錐係数、Ａ４、Ａ６、Ａ８、Ａ１０、Ａ１２、Ａ１４、Ａ１６は非球面係数である。
【００３０】
便宜上、各レンズ面の非球面としては、条件式（５）で表される非球面を使用しているが、条件式（５）で表される非球面多項式に限定されない。
【００３１】
図１は本実施例の構成を示す模式図である。表１には、実施例１において撮像レンズＬＡを構成する第１のレンズＬ１〜第４のレンズＬ４の物体側及び像面側の曲率半径Ｒと、レンズの中心厚さ又はレンズ間の距離ｄと、屈折率ｎｄと、アッベ数ｖが示されている。表２には、円錐係数ｋと非球面係数が示されている。表３には、実施例における各数値及び条件式（１）〜（４）で規定されたパラメータに対応する数値が示されている。
【表１】
2018013754.tif 000003
【表２】
2018013754.tif 000004
【表３】
2018013754.tif 000005
表３に示すように、本実施例は条件式（１）〜（４）を満足する。
【００３２】
図２、図３及び図４を同時に参照すると、図２は図１に示す撮像レンズの像面湾曲を示す図であり、図３は図１に示す撮像レンズの歪曲収差を示す図であり、図４は図１に示す撮像レンズのＭＴＦ曲線図である。また、図２に示す像面湾曲Ｓは弧矢方向の像面湾曲であり、Ｔはメリジオナル方向の像面湾曲である。図２乃至図４に示すように、本発明に係る前記撮像レンズＬＡは優れた光学特性を有する。
【００３３】
本発明に係る撮像レンズは以下の有益な効果を奏することができる。本発明は、面型を合理的に最適化し、屈折力を合理的に配分し、光学材料を合理的に選択することにより、小型の電子デバイスに適用できる結像が鮮明な撮像レンズＬＡを設計した。前記第１のレンズＬ１は、正レンズであり、前記撮像レンズＬＡの主な屈折力を負担し、光学長さを効果的に減少させることができる。前記第２のレンズＬ２は、高屈折率、低アッベ数の材料が用いられることにより、前記撮像レンズＬＡの色差を効果的に減少させることができる。そして、前記第２のレンズＬ２と第３のレンズＬ３とは接着方式により接続されているため、光学長さを減少させると共に、一定の程度までゴースト像を抑制することができ、これにより、前記撮像レンズＬＡが高結像性能を得ると共に、低敏感度と高い通光量を有し、且つ２ω＝７４．５°、ＦＮｏ＜２．５の高感度という優れた光学特性を有する。
【００３４】
上述したのは、本発明の好ましい実施例に過ぎず、本発明の特許請求の範囲を限定するものではない。当業者は、依然として上記各実施例に記載された技術方案に対して、変更及び修正を行うことができる。本発明の主旨及び原則の枠組みから逸脱せず行う等価変換、改良などは、全て本発明の特許請求の範囲内に含まれる。
【図１】
2018013754.tif 000006
【図２】
2018013754.tif 000007
【図３】
2018013754.tif 000008
【図４】
2018013754.tif 000009